(57)【要約】【課題】形状保持機能が高く意匠性に優れたプランターを提供する。【解決手段】一対の波形金属板１２の両端部に、波形金属板１２の内面同士を重ねて接合した両端接合部１３を設け、波形金属板１２の中間部を拡開して平面視が略楕円形の植栽空間１４を形成し、波形金属板１２の上辺部に、植栽空間に植栽土壌材または植栽容器を保持可能な通気性シート１７の上辺を挟み込んで固定する上折返し部１５を内側に折返して形成した。【選択図】図３
2011223949.tif 000002
【特許請求の範囲】
【請求項１】
単数または複数枚の波形金属板と保持シートにより形成される収容容器であって、
山部および谷部が高さ方向に形成された波形金属板を平面視で環状に接合して空間部を形成し、
当該空間部を囲む波形金属板の上辺部に、底部が閉鎖された保持シートの上辺部を保持する保持部を形成し、
前記保持シート上に収容物品を保持可能に構成した
ことを特徴とする収容容器。
【請求項２】
保持部は、波形金属板の上辺部を内側に折り返して、保持シートの上辺部を挟み込み固定し、
保持シートの側辺部を波形金属板同士の接合部に挟んで固定した
ことを特徴とする請求項１記載の収容容器。
【請求項３】
一対の波形金属板の両端部に、内面同士を重ね合わせて接合する接合部を設け、
波形金属板の中間部を拡開して平面視が略楕円形の空間部を形成した
ことを特徴とする請求項１または２記載の収容容器。
【請求項４】
波形金属板の両端部の内面同士を重ねて互いに接合された接合部を形成して、平面視が涙滴形の空間部を形成した
ことを特徴とする請求項１または２記載の収容容器。
【請求項５】
波形金属板の両端部の内面と外面とを重ねて互いに接合された接合部を形成して、平面視が円形の空間部を形成した
ことを特徴とする請求項１または２記載の収容容器。
【請求項６】
波形金属板の両側部をそれぞれ湾曲させるとともに、それぞれの端部を波形金属板の中間部に重ねて接合し、平面視が涙滴形の一対の空間部を形成した
ことを特徴とする請求項１または２記載の収容容器。
【請求項７】
一対の波形金属板は、山部、谷部が同一形状で同一ピッチにそれぞれ形成されるとともに同一位相に配置し、非使用時に空間部を閉じることで山部、谷部を嵌合して重ね合わすことができるように構成された
ことを特徴とする請求項３記載の収容容器。
【請求項８】
空間部を植栽空間として、植栽土壌材または植栽容器を保持させるプランターとした
ことを特徴とする請求項１乃至７のいずれかに記載の収容容器。
【請求項９】
空間部を物品収容空間として、日用品や雑誌、食品を保持させるバスケットとした
ことを特徴とする請求項１乃至７のいずれかに記載の収容容器。
【発明の詳細な説明】
【技術分野】
【０００１】
本発明は、たとえば植栽物を直接または植栽容器を介して収容するプランターや、日用品や雑誌などを収容するバスケットとして使用できる収容容器に関する。
【背景技術】
【０００２】
簡易に製造できるたとえばプランターとして、円形シートを周縁折り曲げ状のコーン形に成形し、長方形シートにより形成された筒形に、このコーン部を嵌合して自立させるプランターが特許文献１に提案されている。
【０００３】
また特許文献２は、たとえばバスケットとして、筒状の布地にコイルを内装して、折り畳み自在に形成したものが提案されている。
【先行技術文献】
【特許文献】
【０００４】
【特許文献１】特開２００３−２５０３５１（図２）
【特許文献２】特開２００２−１１２８２１（図１）
【発明の概要】
【発明が解決しようとする課題】
【０００５】
特許文献１では、シートを使用するので、容易に製造できるものの、形状保持機能が低いという問題があった。
また特許文献２では、布地を使用するので、折り畳みが容易であるが、物品を収容しない時に自立性、形状保持機能が低いという問題があった。
【０００６】
本発明は上記問題点を解決して、容易に製造できかつ自立性、形状保持機能が高く、意匠性に優れた収容容器を提供することを目的とする。
【課題を解決するための手段】
【０００７】
請求項１記載の発明は、単数または複数枚の波形金属板と保持シートにより形成される収容容器であって、
山部および谷部が高さ方向に形成された波形金属板を平面視で環状に接合して空間部を形成し、
当該空間部を囲む波形金属板の上辺部に、底部が閉鎖された保持シートの上辺部を保持する保持部を形成し、
前記保持シート上に被収納物を保持可能に構成したものである。
【０００８】
請求項２記載の発明は、請求項１記載の構成において、
保持部は、波形金属板の上辺部を内側に折り返して、保持シートの上辺部を挟み込み固定し、
保持シートの側辺部を波形金属板同士の接合部に挟んで固定したものである。
【０００９】
請求項３記載の発明は、請求項１または２記載の構成において、
一対の波形金属板の両端部に、内面同士を重ね合わせて接合する接合部を設け、
波形金属板の中間部を拡開して平面視が略楕円形の空間部を形成したものである。
【００１０】
請求項４記載の発明は、請求項１または２記載の構成において、
波形金属板の両端部の内面同士を重ねて互いに接合された接合部を形成して、平面視が涙滴形の空間部を形成したものである。
【００１１】
請求項５記載の発明は、請求項１または２記載の構成において、
波形金属板の両端部の内面と外面とを重ねて互いに接合された接合部を形成して、平面視が円形の空間部を形成したものである。
【００１２】
請求項６記載の発明は、請求項１または２記載の構成において、
波形金属板の両側部をそれぞれ湾曲させるとともに、それぞれの端部を波形金属板の中間部に重ねて接合し、平面視が涙滴形の一対の空間部を形成したものである。
【００１３】
請求項７記載の発明は、請求項３記載の構成において、
一対の波形金属板は、山部、谷部が同一形状で同一ピッチにそれぞれ形成されるとともに同一位相に配置し、非使用時に空間部を閉じることで山部、谷部を嵌合して重ね合わすことができるように構成されたものである。
【００１４】
請求項８記載の発明は、請求項１乃至７のいずれかに記載の構成において、
空間部を植栽空間として、植栽土壌材または植栽容器を保持させるプランターとしたものである。
【００１５】
請求項９記載の発明は、請求項１乃至７のいずれかに記載の構成において、
空間部を物品収容空間として、日用品や雑誌、食品を保持させるバスケットとしたものである。
【発明の効果】
【００１６】
請求項１記載の構成によれば、高さ方向に山部、谷部が形成された波形金属板を、形状保持材料として環状に連結し、さらに波形金属板の上辺部に設けられた保持部に、保持シートの上辺部を固定し、空間部に植栽土壌材や日用品などの収容物品を保持させることができる。これにより、波形金属板を利用して容易に製造することができ、自立性が高く十分な形状保持機能を備え、かつ波形形状による意匠性に優れた収容容器を提供することができる。
【００１７】
請求項２記載の構成によれば、波形金属板の上辺部を内側に折り返すことで、強度を高めて形状保持機能を向上させるとともに安全性を高めることができる。そしてこの折返し部に保持シートの上辺部を挟んで固定するとともに側辺部を接合部に挟んで固定することにより、保持シートを確実に固定して、空間部に植栽土壌材や日用品などを確実に保持させることができる。
【００１８】
請求項３記載の発明によれば、一対の波形金属板の両端部の内面同士を接合し、中間部を拡開して空間部を形成することにより、形状保持機能が高く、意匠性に優れた収容容器を提供することができる。また、被収容物の大きさに合わせて空間部を拡縮し調整することができる。さらに非使用時に、波形金属板を閉じることで空間部を閉鎖して板状にし、保管、収納性や可搬性を向上させることができる。
請求項４記載の発明によれば、波形金属板の両端部の内面同士を重ねて接合することにより、平面視が涙滴形の空間部を形成することができ、製造が容易で意匠性に優れた収容容器を提供することができる。
【００１９】
請求項５記載の発明によれば、波形金属板の両端部の内外面を重ねて接合することにより、平面視が円形の空間部を形成することができ、製造が容易で意匠性に優れた円筒形の収容容器を提供することができる。
【００２０】
請求項６記載の発明によれば、波形金属板の両端部と中間部とを重ねて接合することにより、平面視が涙滴形の一対の空間部を形成することができ、製造が容易で意匠性に優れた収容容器を提供することができる。
【００２１】
請求項７記載の発明によれば、空間部を閉じることで、波形金属板の山部および谷部を嵌合して重ね合わせ厚みを薄くすることができ、保管収納性や可搬性を向上させることができる。
【００２２】
請求項８記載の発明によれば、波形金属板を利用して容易に製造することができ、自立性が高く十分な形状保持機能を備え、かつ波形形状による意匠性に優れたプランターを提供することができる。
【００２３】
請求項９記載の発明によれば、波形金属板を利用して容易に製造することができ、自立性が高く十分な形状保持機能を備え、かつ波形形状による意匠性に優れたバスケットを提供することができる。
【図面の簡単な説明】
【００２４】
【図１】本発明に係る収容容器をプランターとした実施例１を示し、植栽状態の斜視図である。
【図２】プランターの中央横断面図である。
【図３】プランターの平面側斜視図である。
【図４】プランターの底面側斜視図である。
【図５】（ａ）〜（ｅ）は形状を特定するために稜線を記入した基本図で、（ａ）は平面図、（ｂ）は正面図、（ｃ）は底面図、（ｄ）は背面図、（ｅ）は右側面図である。
【図６】図５（ａ）に示すａ部拡大図である。
【図７】（ａ）および（ｂ）は要部拡大図で、（ａ）は図５（ｅ）のｂ部を示し、（ｂ）は図５（ｅ）のｃ部を示す。
【図８】（ａ）〜（ｄ）は非使用時（運搬配送・収納状態）の形状を特定するために、稜線を記入した基本図で、（ａ）は平面図、（ｂ）は正面図、（ｃ）は底面図、（ｄ）は右側面図である。
【図９】（ａ）〜（ｆ）は形状を特定するために稜線を削除した基本図で、（ａ）は平面図、（ｂ）は正面図、（ｃ）は底面図、（ｄ）は背面図、（ｅ）は右側面図、（ｆ）は（ｂ）に示すＡ−Ａ断面図である。
【図１０】（ａ）〜（ｄ）はプランターの製造手順を示すもので、（ａ）は構成部品の分解斜視図、（ｂ）は平面金属板と通気性シートとの結合状態を示す斜視図、（ｃ）は波形の形成状態を示す斜視図、（ｄ）は両端接合部の形成状態を示す斜視図である。
【図１１】（ａ）〜（ｆ）は形状変更可能な範囲を破線と一点鎖線で示す基本図で、（ａ）は平面図、（ｂ）は正面図、（ｃ）は底面図、（ｄ）は背面図、（ｅ）は右側面図、（ｆ）は（ｂ）に示すＢ−Ｂ断面図である。
【図１２】プランターの変形例１を示す正面図である。
【図１３】プランターの変形例２を示す正面図である。
【図１４】（ａ）および（ｂ）は、本発明に係る収容容器をバスケットとした実施例２を示し、（ａ）は日用品用のバスケットとして使用した状態を示す斜視図、（ｂ）はパン用バスケットとして使用した状態を示す斜視図である。
【図１５】本発明に係る収容容器をプランターとした実施例３を示す斜視図である。
【図１６】（ａ）〜（ｃ）は実施例３のプランターの製造手順を示すもので、（ａ）は部品の分解斜視図、（ｂ）は平面金属板と通気性シートとの結合状態を示す斜視図、（ｃ）は波形の形成状態を示す斜視図である。
【図１７】本発明に係るプランターの実施例４を示す斜視図である。
【図１８】（ａ）〜（ｃ）は実施例４のプランターの製造手順を示すもので、（ａ）は部品の分解斜視図、（ｂ）は平面金属板と通気性シートとの結合状態を示す斜視図、（ｃ）は波形の形成状態を示す斜視図である。
【図１９】本発明に係るプランターの実施例５を示す斜視図である。
【図２０】（ａ）および（ｂ）は実施例５のプランターの製造手順を示すもので、（ａ）は部品の分解斜視図、（ｂ）は平面金属板と通気性シートとの結合状態を示す斜視図、（ｃ）は波形の形成状態を示す斜視図である。
【発明を実施するための形態】
【実施例】
【００２５】
以下、本発明に係る収容容器の実施例を図面に基づいて説明する。
【実施例１】
【００２６】
収容容器をプランターとして使用した実施例１を図１〜図１０を参照して説明する。
図１〜図４に示すように、このプランター１１は、互いに平行な山部、谷部が一定ピッチで高さ方向に形成された矩形で前後一対の波形金属板（ここでは、たとえば波形トタン板や波形ステンレス板が使用される）１２と、植栽用土壌材や植栽容器を保持するための通気性シート（保持シート）１７とにより形成されたものである。前後の波形金属板１２は、その両端部（側辺部）が両端接合部（接合部）１３により互いに接合され、これら両端接合部１３間の波形金属板１２が拡開されて平面視が略楕円形の植栽空間１４が形成される。また波形金属板１２は、上辺部と下辺部がそれぞれ内側に折り返されて上折返し部１５および下折返し部１６が形成されている。
【００２７】
前後の波形金属板１２は、非使用時に植栽空間１４を閉じると、互いに嵌合されるように、山部と谷部が同一形状で同一ピッチに形成されるとともに同一位相になるように配置されている。これにより、山部と谷部を互いに嵌合させて前後の波形金属板１２を密に重ね合わせることができる。
【００２８】
前記植栽空間１４には、Ｖ字形に折り返されて植栽土壌材（物品）または植栽容器（物品）を保持可能な通気性シート１７が設けられている。この通気性シート１７は、上辺部が前後の波形金属板１２の上折返し部１５に挟み込まれて接着剤によりそれぞれ固着されている。また左右の側辺部が両端接合部１３にそれぞれ挟み込まれて接着剤によりそれぞれ固着されている。このように、通気性シート１７の前後の上辺部と左右の側辺部がそれぞれ上折返し部１５と両端接合部１３に挟み込まれて接着剤により固着されることで、波形金属板１２に強固に取り付けられ、また植栽土壌材などが漏れ出すことがない。
【００２９】
また通気性シート１７の高さは、底辺の折返し部が下折返し部１６の上端より上方位置で、十分な植栽空間１４の深さが得られるように形成されている。これは、下折返し部１６では、その厚みが前後の波形金属板１２の厚みの４倍になることから、通気性シート１７の２枚の厚みが加わって、非使用時の底辺部分の厚みが分厚くなることを避けるためである。
【００３０】
波形金属板１２は、厚みがたとえば０．２７ｍｍ、山と谷の波の高さは１０ｍｍ、波のピッチが３１．８ｍｍのものが使用されるが、その厚みが０．１５ｍｍ〜０．７ｍｍの範囲、山部、谷部間の波の高さが１０ｍｍ±５ｍｍの範囲、波のピッチが３０ｍｍ±１０ｍｍの範囲から、それぞれ最適値が選択される。またこの波形金属板１２は、たとえば高さが２５０ｍｍ、横幅が５００ｍｍであるが、高さが２５０ｍｍ〜６００ｍｍの範囲、横幅が４５０ｍｍ〜１２００ｍｍの範囲からそれぞれ最適値が選択される。
【００３１】
また上、下折返し部１５、１６の高さは、１０ｍｍ〜５０ｍｍ、両端接合部１３の幅３０ｍｍ〜５０ｍｍで、必要とする強度や通気性シート１７の接着力に応じて選択される。
通気性シート１７には、湿気に強い樹脂製の織地や不織布、網地が選択され、十分な通気性と強度を確保している。通水性については、屋内などで使用される時に水分が幾分滲み出す程度で、滲みだした水分が外面で乾燥されるようなものがよく、ここではたとえばＰＥＴ不織布が使用される。ここでポタポタと漏水するような通水性の高いものは除外されているが、設置面が土壌の上などであれば、通水性のよいものでも問題がなく使用することができるし、これを屋内で使用する場合は、底部に排水受け皿を設置すればよい。
【００３２】
なお、両端接合部１３はそれぞれ平坦面に形成されているが、波形が連続して形成されていてもよい。
（製造手順）
このプランターの製造手順を、図１０を参照して説明する。
１）所定の大きさに形成された一対の平面金属板１２’と、平面金属板１２’と同一幅で、折返し高さが所定に切断された通気性シート１７を用意する。
２）プレス装置により一方の平面金属板１２’の上辺部を折り曲げて通気性シート１７の一方の上辺部を挟み込み、上折返し部１５を形成する。次いで他方の平面金属板１２’の上辺部を折り曲げて通気性シート１７の他方の上辺部を挟み込み、上折返し部１５を形成する。さらに下折返し部１６をそれぞれ形成する。
３）上折返し部１５と通気性シート１７との間にそれぞれ接着剤を注入するとともに、両端接合部１３の平面金属板１２’の両端部内面と、通気性シート１７の両端部に接着剤を塗布し、通気性シート１７を挟んだ状態で一対の平面金属板１２’を重ね合わせて加圧し、所定時間養生させて両端接合部１３を接合する。
４）通気性シート１７が挟み込まれた２枚の平面金属板１２’を、波付機により高さ方向に沿って波形を全体に圧延形成する。
５）プレス装置により、両端接合部１３を平坦状に圧延成形する。
【００３３】
上記実施例１によれば、厚みが薄く軽量で、高さ方向に山部と谷部が形成された波形金属板１２を使用することにより、形状保持機能が高いプランター１１を提供することができる。
【００３４】
また運搬配送や収納などの非使用時に、通気性シート１７を挟んで一対の波形金属板１２を重ね合わせ、１枚の波板として取り扱うことができる。これにより占有容積を小さくして、保管収納性や可搬性を向上させることができる。
【００３５】
さらに植栽空間１４は、波形金属板１２を拡縮することにより、通気性シート１７内に投入する植栽土壌材の量や植栽物の大きさや本数、植栽容器の大きさに応じて容量を調整することができる。これにより、植栽物が成長して大きくなった場合に植栽土壌材を追加して植栽空間１４を拡張できる。
【００３６】
さらにまた通気性シート１７が、上折返し部１５と両端接合部１３にそれぞれ挟み込まれて接着剤により固着されているので、波形金属板１２にそれぞれ強固に固定されて、植栽物、植栽土壌材や植栽容器の重量を確実に支持する取付強度を確保することができる。また上面開口部のみが開放されているので、植栽土壌材が落下することがない。さらに通気性シート１７が取り付けられた縁部が見えなくなることで、意匠性を向上させ、通気性シート１７が上辺部や両側辺部から剥がれるようなこともない。
【００３７】
なお、図１１は、プランター１１の形状を変化させてもよい部分を破線で、その境界線を一転鎖線で表したもので、破線部分は任意な形状にできる範囲を示している。たとえば図１２に示すように、波形金属板１２の上辺部を大きいピッチの波形Ｗに形成することもでき、デザインの汎用性が高い。
【００３８】
また図１３は、実施例１の変形例で、波形金属板１２に複数の通気穴１８を形成したもので、通気穴は、任意の形状および配置で設けることで意匠性を向上させることができる。
【００３９】
また両端接合部１３の接合は、接着剤のみに限られるものではなく、接着剤に加えてボルトやクリップなどの固定具やスポット溶接などを使用することができる。
［実施例２］
図１４は、本発明に係る収容容器をバスケット５１として使用したものである。通気性シート１７の材質以外は、実施例１と同一構成であるため、同一符号を付して説明を省略する。
【００４０】
図１４（ａ）は雑誌や日用品などの物品を収容したバスケット（マガジンラック）５１を示し、図１４（ｂ）はパンなどの食品（物品）を収容したバスケット５１を示す。
これらバスケット５１では、保持シートとして通気性シート１７に替えて、透水性や通気性を有する編地製や樹脂性など、雑誌や日用品などの重量を保持できる保持シート５７が使用されて、雑誌や日用品、食品などを収容するための収容空間５４が形成される。
【００４１】
上記実施例２によれば、居室内において、日用品や雑誌を収容するバスケットやマガジンラックとして、または食堂などでパンを収容するバスケットとして使用することができ、植栽物を収容する以外に、上記プランター１１と同様の作用効果を奏するとともに、多用途に使用することができる。
【００４２】
［実施例３］
本発明に係るプランターの実施例３を、図１５および図１６を参照して説明する。なお、実施例１と同一名称の部材には、同一材料が使用されるので、材料の説明は省略する。
【００４３】
１枚の長尺の波形金属板２２と通気性シート（保持シート）２７からなるプランター２１で、波形金属板２２の中央部を湾曲させて、両端部の内面同士を接合する端部接合部（接合部）２３を設けたもので、平面視で涙滴形の植栽空間２４が形成される。
【００４４】
波形金属板２２の上辺部と下辺部に、それぞれ内側に折り返された上折返し部２５および下折返し部２６が形成され、強度と安全性が向上されている。また上折返し部２５と端部接合部２３では、通気性シート２７の上辺部と一方の側辺部が挟み込まれて接着剤により固着されている。ここで、端部接合部２３はそれぞれ平坦面に形成されているが、波形が連続して形成されていてもよい。
【００４５】
製造に際しては、図１６（ａ）〜（ｃ）に示すように、長尺の平板金属板２２’と、この平板金属板２２’と略同一長さの通気性シート２７とを容易する。プレス装置により平面金属板２２’に上、下折返し部２５、２６を順次成形する。この上折返し部２５の形成時に通気性シート２７の上辺部を挟み込んで固定し、成形後に接着剤を注入する。ついで波付機により平板金属板を波形に形成した後、プレス装置により２つの端部接合部２３をプレスして平坦に形成する。さらに波形金属板２２と通気性シート２７の両端部にそれぞれ接着材を塗布した後、波形金属板２２を湾曲させて、波形金属板２２の両端部の内面同士を通気性シート２７の端部を挟み込んだ状態で接合し、加圧した状態で養生させて端部接合部２３を形成し固着させる。さらに通気性シート２７の底部を接着剤や熱溶着、縫製などにより接着し閉鎖する。
【００４６】
上記実施例３によれば、厚みが薄く軽量で、高さ方向に山部と谷部が形成された波形金属板２２を使用することにより、形状保持機能が高いプランター２１を提供することができる。また１枚の波形金属板２２を、その両端部で内面同士を重ねて接合し、涙滴形の植栽空間２４を有するプランター２１を容易に製造することができる。さらに通気性シート２７は、端部接合部２３と上折返し部２５に挟み込まれて接着剤により固着されているので、波形金属板２２にそれぞれ強固に固定され、植栽物、植栽土壌材や植栽容器の重量を確実に支持する取付強度を確保することができる。また通気性シート２７が取り付けられた縁部が見えなくなることで、意匠性を向上させ、通気性シート２７が上辺部および側辺部から剥がれるようなことがない。
【００４７】
なお、波形金属板２２を、１枚で構成するように図示しているが、複数枚の波形金属板の内面と外面とを重ね合わして連結し長尺に形成したものでもよい。また端部接合部２３は平坦状に成形しないで、波形であってもよい。さらに端部接合部２３の接合は、接着剤のみに限られるものではなく、ボルトなどの固定具を使用したり、スポット溶接などを用いて接合することができる。
【００４８】
［実施例４］
この実施例４は、図１７および図１８に示すように、実施例３と同じ平面視が涙滴形の植栽空間３４を一対、左右対称に成形したプランター３１である。なお、実施例１と同一名称の部材には、同一材料が使用されるので、材料の説明は省略する。
【００４９】
長尺の波形金属板３２の両端側をそれぞれ湾曲させて、両端部をそれぞれ中間面部３８に内面同士または外面同士あるいは内面と外面で互いに接合し、これら中間接合部（接合部）３３の両端側にそれぞれ対称形状の涙滴形植栽空間３４を形成したものである。
【００５０】
波形金属板３２の上辺部と下辺部は、それぞれ内側に折り返された上折返し部（折返し部）３５および下折返し部３６が形成されて、強度と安全性が向上されている。また上折返し部３５と中間接合部３３では、通気性シート（保持シート）３７の上辺部と両側辺部がそれぞれ挟み込まれて接着剤により固着されている。ここで、中間接合部３３はそれぞれ平坦面に形成されているが、波形が連続して形成されていてもよい。
【００５１】
プランター３１の製造に際し、まず平面金属板３２’と、平面金属板３２’の１／２より短い長さの通気性シート３７を２枚用意し、平面金属板３２’の上辺部に内面に折り返された上折返し部３５を形成するとともに、下辺部に内面に折り返された下折返し部３６を形成する。そして上折返し部３５を形成する時に、通気性シート３７の上辺部を挟み込み、形成後に上折返し部３５に接着剤を注入する。次いで平面金属板３２'を波形に圧延形成した後、中間面部３８と両端部とをそれぞれ平坦にプレス成形する。さらに波形金属板３２の両端部および中間面部３８と、通気性シート３７の両側辺部とに接着剤を塗布した後、両側をそれぞれ湾曲させて両端部を中間面部３８に重ね合わせ、通気性シート３７の側辺部を挟み込んだ状態で加圧し養生させて接合し、中間接合部３３を形成する。さらに通気性シート３７の底辺部を接着剤や熱溶着、縫製などにより接合して閉鎖する。
【００５２】
上記実施例３によれば、厚みが薄く軽量で、高さ方向に山部と谷部が形成された波形金属板３２を使用することにより、形状保持機能が高いプランター３１を提供することができる。また１枚の波形金属板３２の両端側を湾曲させて端部と中間面部３８を重ねて接合し、一対の涙滴形の植栽空間３４を有するプランター３１を容易に製造することができる。さらに通気性シート３７は、中間接合部３３と上折返し部３５に挟み込まれて接着剤により固着されているので、十分な取付強度を確保することができ、植栽物、植栽土壌材や植栽容器の重量を確実に支持することができる。また通気性シート３７が取り付けられた縁部が見えなくなることで、意匠性を向上させ、通気性シート３７が上辺部および側辺部から剥がれるようなことがない。
【００５３】
なお、波形金属板３２は、１枚で図示しているが、複数枚の波形金属板の内面と外面とを重ね合わして長尺状に連結したものでもよい。また中間面部３８および中間接合部３３を平坦面に図示したが、波形状が連続して形成されていてもよい。
【００５４】
［実施例５］
実施例５のプランター４１は、図１９および図２０に示すように、長尺状の波形金属板４２の両端部の内面と外面とを、山部、谷部が互いに嵌合するように重ね合わせて接合し、平面視円形の植栽空間４４を形成するとともに、この植栽空間４４に通気性シート（保持シート）４７を設けたものである。なお、実施例１と同一名称の部材には、同一材料が使用されるので、材料の説明は省略する。
【００５５】
波形金属板４２の上辺部と下辺部に、それぞれ内側に折り返された上折返し部（折返し部）４５および下折返し部４６が形成されて、強度と安全性が向上されている。また上折返し部４５では、通気性シート４７が挟み込まれて接着剤により固着されている。
【００５６】
製造に際し、まず長尺の平面金属板４２'と、この平面金属板４２'より接合部４３の横幅分だけ長いはみ出し部４７ａを有する通気性シート４７を用意する。そして、上下折返し部４５、４６を形成し、この時に上折返し部４５に、内周側に重ねられる端部からはみ出し部４７ａがはみ出すように、通気性シート４７の上辺部を挟み込む。さらに上折返し部４５に接着剤を注入する。次いで平面金属板４２'を波形にプレス成形する。波形金属板４２の両端部の内外面に接着材を塗布して波形金属板４２を湾曲させ、両端部の内外面を重ね合わせて加圧し所定時間養生させることにより接合して、接合部４３を形成する。この時、内周側の通気性シート４７のはみ出し部４７ａを折り返して接合部４３に挟み込むことにより、通気性シート４７の両端部同士を接合部４３で接着する。そして通気性シート４７の底辺部を、接着剤や熱溶着、縫製などにより接合して閉鎖する。
【００５７】
実施例５によれば、厚みが薄く軽量で、高さ方向に山部と谷部が形成された波形金属板４２を使用することにより、形状保持機能が高いプランター４１を提供することができる。また１枚の波形金属板４２を湾曲させて両端部の内外面を重ねて接合し、円形の植栽空間４４を有するプランター４１を容易に製造することができる。さらに通気性シート４７は、上折返し部４５に挟み込まれて固着されているので、十分な取付強度を確保することができ、植栽物、植栽土壌材や植栽容器の重量を確実に支持することができる。また通気性シート４７が取り付けられた上辺部が見えなくなることで、意匠性を向上させ、通気性シート４７が上辺部から剥がれるようなことがない。
【００５８】
なお、実施例３〜５と同一構成のプランターを、通気性シートに替えて保持シートを使用し、バスケットとして使用することができる。これにより、製作が容易で、自立性、形状保持性や意匠性に優れたバスケットを提供することができる。
【符号の説明】
【００５９】
１１，２１，３１，４１  プランター
１２，２２，３２，４２  波形金属板
１３    両端接合部（接合部）
１４，２４，３４，４４    植栽空間
１５，２５，３５，４５    上折返し部
１６，２６，３６，４６    下折返し部
１７，２７，３７，４７    通気性シート（保持シート）
２３    端部接合部（接合部）
３３    中間接合部（接合部）
４３    接合部
５１    バスケット
５７    保持シート
【図１】
2011223949.tif 000003
【図２】
2011223949.tif 000004
【図３】
2011223949.tif 000005
【図４】
2011223949.tif 000006
【図５】
2011223949.tif 000007
【図６】
2011223949.tif 000008
【図７】
2011223949.tif 000009
【図８】
2011223949.tif 000010
【図９】
2011223949.tif 000011
【図１０】
2011223949.tif 000012
【図１１】
2011223949.tif 000013
【図１２】
2011223949.tif 000014
【図１３】
2011223949.tif 000015
【図１４】
2011223949.tif 000016
【図１５】
2011223949.tif 000017
【図１６】
2011223949.tif 000018
【図１７】
2011223949.tif 000019
【図１８】
2011223949.tif 000020
【図１９】
2011223949.tif 000021
【図２０】
2011223949.tif 000022